(57)【要約】  【課題】複数の画像表示装置に対する各種設定作業の労力低減。  【解決手段】画像信号と画像制御信号を受信する画像表示装置１０，２０，３０，４０(マスタプロジェクタ１０、スレーブプロジェクタ２０，３０，４０)がネットワーク２を介して複数接続されると共に、特定の画像表示装置に画像信号と画像制御信号を送信する画像制御装置（パソコン）３を備え、前記夫々の画像表示装置は、画像を表示する画像表示部(画像投影部)５と、前記画像制御信号を送受信する通信制御部４１と、前記画像信号を受信する画像受信部４２と、前記通信制御部４１から送信された画像制御信号及び前記画像受信部４２から送信された前記画像信号に基づき画像表示部に画像表示を行わせる制御部４と、を備え、前記制御部４は、更に、他の画像表示装置に画像制御信号を、ネットワーク２を介して送信する。  【選択図】図３
2009169635.tif 000002
【特許請求の範囲】
【請求項１】
ネットワークで接続された複数の画像表示装置と、
前記画像表示装置に画像信号と画像制御信号を送出する画像制御装置とを備え、
前記夫々の画像表示装置は、
画像を表示する画像表示部と、
前記画像制御信号を送受信する通信制御部と、
前記画像信号を受信する画像受信部と、
前記通信制御部が受信した画像制御信号及び前記画像受信部が受信した前記画像信号に
基づき画像表示部に画像表示を行わせる制御部と、
を備え、
前記制御部は、更に、他の画像表示装置に前記画像制御信号を、ネットワークを介して
送信することを特徴とする画像表示システム。
【請求項２】
前記制御部は、更に、他の画像表示装置の画像信号に連携する画像制御信号を送信する
ことを特徴とする請求項１に記載の画像表示システム。
【請求項３】
前記制御部は、更に、ネットワーク上の関連する他の画像表示装置を探し出し、該他の
画像表示装置に画像制御信号を送信することを特徴とする請求項１又は２に記載の画像表
示システム。
【請求項４】
他の画像表示装置とネットワークで接続可能な接続部と、
画像を表示する画像表示部と、
前記ネットワークを介して画像制御信号を送受信する通信制御部と、
前記ネットワークを介して画像信号を受信する画像受信部と、
前記通信制御部が受信した画像制御信号及び前記画像受信部が受信した前記画像信号に
基づき画像表示部に画像表示を行わせる制御部と、
を備え、
前記制御部は、更に、他の画像表示装置に前記画像制御信号を、ネットワークを介して
送信可能であることを特徴とする画像表示装置。
【請求項５】
請求項４に記載の画像表示装置がネットワークを介して複数接続された画像表示システ
ムに適用され、
前記画像信号を受信するステップと、
受信した画像信号に基づく画像表示を制御するための画像制御信号を受信するステップ
と、
受信した画像信号と画像制御信号に基づいて画像表示制御するステップと、
受信した画像制御信号を他の画像表示装置に対して送信するステップと、
を備えていることを特徴とする画像表示方法。
【発明の詳細な説明】
【技術分野】
【０００１】
本発明は、複数の画像表示装置を用いた画像表示システム、及び該画像表示システムに
適用可能な画像表示装置、並びに画像表示システムの画像表示方法に関する。
【背景技術】
【０００２】
本発明に関連する先行技術文献情報として、例えば、次の特許文献１がある。
【特許文献１】特開２００３−１９８９９４号公報
【０００３】
特許文献１では、ネットワークで接続された複数のプロジェクタ(画像表示装置)を、一
つのパーソナルコンピュータ(画像制御装置)で一元的に制御し、例えば、巨大スクリーン
に対し、投影される画像データを分割して、各分割されたデータごとに夫々プロジェクタ
を割り当て、かかる複数のプロジェクタにより、巨大な投射画像を完成できるプロジェク
タの制御システムについて述べている。
【発明の開示】
【発明が解決しようとする課題】
【０００４】
ところで、前記制御システムは、一つのパーソナルコンピュータで、ネットワークに接
続されたプロジェクタ毎に個別に設定を行なっている。
しかしながら、前記プロジェクタ毎に設定する項目は、例えば、画像データの分割設定
、分割した画像データをプロジェクタに割り当てる設定、分割した画像データの大きさを
調整する設定、色やコントラスト等を調整する設定、投影タイミングを同期させる設定等
、画像制御に関する多くの設定項目があるため、複数のプロジェクタ毎に設定する作業に
手間や時間を要しており、プロジェクタの台数が多ければ多い程、その手間や設定作業の
労力が増えることになる。
【０００５】
本発明は、このような問題に対処することを課題とするものである。すなわち、複数の
画像表示装置に対する各種設定作業の労力を低減することを目的とする。
【課題を解決するための手段】
【０００６】
前記目的を達成するために、本発明に係る画像表示システムは、ネットワークで接続さ
れた複数の画像表示装置と、前記画像表示装置に画像信号と画像制御信号を送出する画像
制御装置とを備え、前記夫々の画像表示装置は、画像を表示する画像表示部と、前記画像
制御信号を送受信する通信制御部と、前記画像信号を受信する画像受信部と、前記通信制
御部が受信した画像制御信号及び前記画像受信部が受信した前記画像信号に基づき画像表
示部に画像表示を行わせる制御部と、を備え、前記制御部は、更に、他の画像表示装置に
前記画像制御信号を、ネットワークを介して送信することを特徴としている。
【０００７】
ここでいう画像制御装置は、画像表示装置に対して外部から接続されるもの（例えば、
パーソナルコンピュータ等）でもよいし、前記パーソナルコンピュータにおける画像制御
機能と同等の機能を画像表示装置が備えていてもよい。
【０００８】
本発明に係る画像表示システムによれば、複数の画像表示装置のうち、例えば、選択さ
れた一つの画像表示装置に対して、画像制御装置から、画像制御信号を送信すると、該画
像信号と画像制御信号が他の画像表示装置に対して送信されることになる。すなわち、複
数の画像表示装置に対する画像制御に関する設定を一括で行なうことができるので、複数
の画像表示装置に対する各種設定作業の労力を低減できる。
【０００９】
更に、各画像表示装置が夫々独立して、受信した画像信号と画像制御信号に基づいて画
像表示を制御するため、前記画像制御装置やネットワーク対する負荷を軽減することがで
きる。
【００１０】
本発明に係る制御部は、更に、他の画像表示装置の画像信号に連携する画像制御信号を
送信することを特徴としている。
【００１１】
この構成の制御部によれば、例えば、複数の画像表示装置が表示する画像(静止画・動
画)を、同一タイミングで切り替える場合や、複数の画像表示装置に割り当てられた分割
画像を、複数の画像表示装置で一つの画像として表示させる場合等において、画像表示装
置同士で画像タイミングを同期させる制御をすることができる。
【００１２】
又、前記制御部は、更に、ネットワーク上の関連する画像表示装置を探し出し、該他の
画像表示装置に画像制御信号を送信することを特徴としている。
【００１３】
この構成の制御部によれば、例えば、複数の画像表示装置のうち、同一設定で使用する
画像表示装置にのみ画像制御信号を送信することができる。
【００１４】
本発明は、前記画像表示システムに適用可能な画像表示装置を包含する。すなわち、他
の画像表示装置とネットワークで接続可能な接続部と、画像を表示する画像表示部と、前
記ネットワークを介して画像制御信号を送受信する通信制御部と、前記ネットワークを介
して画像信号を受信する画像受信部と、前記通信制御部が受信した画像制御信号及び前記
画像受信部が受信した前記画像信号に基づき画像表示部に画像表示を行わせる制御部とを
備え、前記制御部は、更に、他の画像表示装置に前記画像制御信号を、ネットワークを介
して送信可能であることを特徴としている。
【００１５】
ここでいう接続部とは、各画像表示装置とネットワークで接続可能なものであればよい
。
【００１６】
本発明に係る画像表示装置によれば、複数の画像表示装置に対する画像制御に関する設
定を一括ででき、パーソナルコンピュータ等の画像制御装置やネットワークに対する負荷
を軽減できる画像表示システムを構築できる。
【００１７】
本発明は、前記画像表示システムに適用される画像表示方法を包含する。すなわち、前
記画像信号を受信するステップと、受信した画像信号に基づく画像表示を制御するための
画像制御信号を受信するステップと、受信した画像信号と画像制御信号に基づいて画像表
示制御するステップと、受信した画像制御信号を他の画像表示装置に対して送信するステ
ップとを備えていることを特徴としている。
【００１８】
本発明に係る画像表示方法によれば、複数の画像表示装置に対する画像制御に関する設
定を一括ででき、パーソナルコンピュータ等の画像制御装置やネットワーク対する負荷を
軽減できる画像表示システムに適用することができる。
【発明を実施するための最良の形態】
【００１９】
以下、本発明を実施するための最良の形態を図面に基づいて説明する。本形態における
画像表示システムは、４台の画像表示装置を備えた形態として例示し、該画像表示装置を
プロジェクタとして例示する。又、画像表示装置に備えられた画像表示部を画像投影部と
して例示する。又、本形態における画像制御装置は、パーソナルコンピュータ(以下、パ
ソコンという)として例示する。
【００２０】
図１は、本形態の画像表示システム１の概略構成を示すブロック図である。画像表示シ
ステム１は、画像を投影するためのプロジェクタ（以下、「マスタプロジェクタ」という
）１０、及びプロジェクタ（以下、「スレーブプロジェクタ」という）２０，３０，４０
を、ネットワーク２を介して双方向通信可能に接続して構成されている。又、この画像表
示システム１は、４台のプロジェクタのうち、マスタプロジェクタを選択する選択操作や
、画像制御信号、及び画像信号を設定入力すると共に、入力された画像信号と画像制御信
号をマスタプロジェクタ１０やスレーブプロジェクタ２０，３０，４０に送信するための
パソコン３が、双方向通信可能となるようにネットワーク２を介して接続されている。
【００２１】
尚、プロジェクタの台数は、例示した４台に限定するものではなく、４台未満、及び４
台以上であってもよい。又、ネットワーク２は、有線ネットワーク又は無線ネットワーク
のいずれでもよい。
【００２２】
ここで、マスタプロジェクタとは、パソコン３から送信される画像信号と画像制御信号
を受信し、該画像信号と画像制御信号をスレーブプロジェクタに送信するものを意味する
。又、スレーブプロジェクタとは、パソコン３から送信される画像信号、及びマスタプロ
ジェクタから送信される画像制御信号を受信するものを意味する。すなわち、本形態の画
像表示システム１は、マスタプロジェクタがスレーブプロジェクタの画像表示に関する制
御を行なう主従関係を有するものではなく、夫々が独立して画像表示の制御を行なうもの
である。
【００２３】
本形態の画像表示システム１におけるマスタプロジェクタの選択は、例えば、パソコン
３の設定により行うことができる。
【００２４】
この設定の一例として、パソコン３の操作により、パソコン３のディスプレイ(図示せ
ず)に４台のプロジェクタの設定画面を表示させる。次いで、表示された設定画面からい
ずれか一つのプロジェクタを選択し、選択されたプロジェクタがマスタプロジェクタとし
て設定されるようにするものが挙げられる。又、プロジェクタ自身に設定手段（スイッチ
等）を備え、該設定手段でマスタプロジェクタを設定すると、他のプロジェクタがスレー
ブプロジェクタに設定されるようなものも挙げられる。いずれの場合も、マスタプロジェ
クタを設定すると自動的に他のプロジェクタがスレーブプロジェクタとして設定されるよ
うすることが好ましい。
【００２５】
ここでいう画像信号とは、静止画又は動画に関する信号のいずれも含む。又、ここでい
う画像制御信号とは、画像を分割する際の分割位置を制御する信号、分割した画像の大き
さを制御する信号、分割した画像の各プロジェクタへの割り当てを制御する信号、画像の
色やコントラスト等を制御する信号、投影タイミングの同期を制御する信号等が含まれる
。
【００２６】
マスタプロジェクタ１０、及びスレーブプロジェクタ２０，３０，４０には、画像信号
の送受、画像制御信号の送受、これら各情報に基づいて画像表示制御をする制御部４と、
画像を投影する画像投影部５が備えられている。パソコン３からの画像信号は、ネットワ
ーク２を経由してマスタプロジェクタ１０、及びスレーブプロジェクタ２０，３０，４０
の画像受信部４に送信される(一点鎖線で示す)。又、パソコン３からの画像制御信号は、
ネットワーク２を経由してマスタプロジェクタ１０の制御部４に送信される(二点鎖線で
示す)。更に、画像制御信号は、マスタプロジェクタ１０の制御部４から、ネットワーク
２を経由してスレーブプロジェクタ２０，３０，４０の制御部４に送信される(破線で示
す)。そして、所定の画像信号、及び画像制御信号に基づき、マスタプロジェクタ１０、
及びスレーブプロジェクタ２０，３０，４０の制御部４が夫々独立して画像投影部５の画
像投影の制御を行なう。
【００２７】
すなわち、本形態の画像表示システム１は、一台のパソコン３から、マスタプロジェク
タ１０に画像制御信号を送信すれば、該画像制御信号は、マスタプロジェクタ１０からス
レーブプロジェクタ２０，３０，４０にも送信される。したがって、同一の画像信号と画
像制御信号を全てのプロジェクタに共有させるための設定作業がきわめて容易である。
【００２８】
尚、従来では、一台のパソコンで全てのプロジェクタの制御を行なっている。そのため
、画像データが大きい動画である場合、パソコンのメモリ容量の不足や、ネットワーク上
のトラフィックが増えることがある。これにより、パソコンの処理速度の低下やネットワ
ークに対する負荷が大きくなることが生じ、プロジェクタ毎で投影する動画の投影タイミ
ングのずれや、コマ落ち等の不具合が生じる可能性がある。これらの不具合対しては、パ
ソコンからの同期信号を受信することにより補正を行っている。しかしながら、前記の不
具合により、同期信号の情報伝達速度も低下するため、確実な補正が行われない可能性が
ある。
【００２９】
すなわち、本形態の画像表示システム１は、パソコン３にかかわりなく、全てのプロジ
ェクタが夫々独立して画像表示の制御を行なうので、パソコン３やネットワーク２に対す
る負荷を軽減できる。よって、動画の投影タイミングのずれや、コマ落ち等を発生し難く
でき、仮に前記の不具合が生じても、確実な補正を行える。
【００３０】
又、本形態の画像表示システム１では、画像制御信号における画像同期設定に基づき、
制御部４同士が画像の投影タイミングを監視すると共に、投影タイミングを同期させる制
御が、各プロジェクタ同士の連携により行なわれる。この制御により、マスタプロジェク
タ１０、及びスレーブプロジェクタ２０，３０，４０が投射する画像を一致させることが
できる。
【００３１】
図２は、本形態の画像表示システム１に用いられるマスタプロジェクタ１０の構成を示
すブロック図である。尚、マスタプロジェクタ１０、及びスレーブプロジェクタ２０，３
０，４０の具体的な構成については、全て同様であるので、以下では、マスタプロジェク
タ１０の構成を説明することで、スレーブプロジェクタ２０，３０，４０の説明は省略す
る。
【００３２】
マスタプロジェクタ１０は、制御部４と、画像投影部５と、ネットワーク２が接続され
る接続部６とが備えられている。制御部４は、接続部６を介してネットワーク２と接続さ
れ、画像投影部５は、制御部４に接続されている。
【００３３】
すなわち、パソコン３からの画像信号、及び画像制御信号は、接続部６を経由して制御
部４に送信される。そして、この画像信号と画像制御信号に基づき、制御部４が画像投影
部５に対して画像を投射させる制御を行なう。又、画像制御信号を、接続部６を経由して
スレーブプロジェクタ２０，３０，４０に対して送信する制御を行なう。
【００３４】
図３は、制御部４の構成を示すブロック図である。制御部４は、通信制御部４１と、画
像受信部４２と、記憶部４３と、情報制御部４４とから構成されている。
【００３５】
通信制御部４１は、ネットワーク２からの画像制御信号を受信すると共に、該画像制御
信号をスレーブプロジェクタ２０，３０，４０に対して送信する制御を行うものである。
画像受信部４２は、ネットワーク２からの画像信号を受信するものである。これらで受信
した画像制御信号と画像信号は、記憶部４３に記憶される。
【００３６】
記憶部４３は、受信した画像信号と画像制御信号を一時的に記憶するものであり、画像
制御信号を記憶する画像制御信号エリア４３１と、画像信号を記憶する画像信号エリア４
３２とに分割されている。記憶された画像制御信号、画像信号は、情報制御部４４の要求
に基づいて出し入れ、送信、上書き、更には削除される。
【００３７】
情報制御部４４は、マスタプロジェクタ１０全体の制御を行うものであり、機能管理部
４４１と、画像処理部４４２と、コマンド処理部４４３とから構成されている。
【００３８】
機能管理部４４１は、マスタプロジェクタ１０全体の制御に関与するものである。ＣＰ
Ｕ、該ＣＰＵが実行する制御プログラムや、各種アプリケーションプログラム、及び各種
データ等を記憶したＲＯＭ、各種情報及び演算結果等を一時的に記憶するＲＡＭ等が備え
られている。画像処理部４４２は、ＣＰＵが実行する各種プログラムにより、記憶部４３
から呼出された画像信号と画像制御信号に基づいて画像を処理し、該画像を画像投影部５
に送信するものである。コマンド処理部４４２は、記憶部４３から呼出された画像制御信
号に含まれる各コマンドを、ＣＰＵが実行する各種プログラムに基づいて処理実行するも
のである。
【００３９】
情報制御部４４の画像表示制御の機能としては、基本的に、パソコンで複数のプロジェ
クタを一括制御する場合の画像表示機能と同様である。
【００４０】
ただし、本形態の情報制御部４４が実行する特有の制御機能として、マスタプロジェク
タとして規定されたときにのみパソコン３からの画像信号と画像制御信号を受信するマス
タ受信機能がある。又、スレーブプロジェクタとして規定されたときに、パソコン３から
の画像信号とマスタプロジェクタが送信した画像制御信号を受信するスレーブ受信機能が
ある。
【００４１】
この両受信機能により、ネットワーク２上の画像信号と画像制御信号の送信元を、各プ
ロジェクタが検出し、送信元がパソコン３の場合には、該画像信号と画像制御信号をマス
タプロジェクタ１０が受信し、画像制御信号の送信元がマスタプロジェクタ１０の場合に
は、パソコン３からの画像信号とマスタプロジェクタ１０からの画像制御信号をスレーブ
プロジェクタ２０，３０，４０が受信することになる。
【００４２】
この場合、パソコン３から送信される画像制御信号には、画像信号と画像制御信号の送
信元を示すデータが記述されている。又、マスタプロジェクタ１０から送信される画像制
御信号には、画像制御信号の送信元を示すデータが記述されている。そしてこのデータを
各プロジェクタの情報制御部４４が検出することで、各プロジェクタが夫々に対応する画
像制御信号を自動的に受信することができる。
【００４３】
更に、前記制御部４は、マスタプロジェクタ１０と関連する(同一設定とする)スレーブ
プロジェクタを探し出し、関連するスレーブプロジェクタにのみ画像制御信号を送信する
送信先探索機能を備えている。この送信先探索機能により、マスタプロジェクタ１０と同
一設定で使用するスレーブプロジェクタにのみ画像制御信号を送信することができる。
【００４４】
この場合、パソコン３から送信される画像制御信号には、マスタプロジェクタ１０と関
連するスレーブプロジェクタを示すデータが記述されている。そしてこのデータをマスタ
プロジェクタ１０の制御部４が検出して画像制御信号をネットワーク２上に送信すること
で、該画像制御信号は関連するスレーブプロジェクタに送信される。
【００４５】
この送信先探索機能は、例えば、複数のスレーブプロジェクタのうち、一部のスレーブ
プロジェクタを使用したい場合、一部のスレーブプロジェクタの画像制御信号を異なる設
定としたい場合に好適である。
【００４６】
前記構成の制御部４を各プロジェクタが備えたことにより、従来パソコンで行なってい
た各制御を、マスタプロジェクタ１０、及びスレーブプロジェクタ２０，３０，４０自身
が単独で行なうことができる。又、パソコン３からの画像信号と像制御信号を送信すると
きに、その送信先を選択する操作が不要であるため、画像信号と画像制御信号の送信操作
が簡単、且つ迅速に行える。又、接続部７を備えたことにより、画像表示システム１に使
用するプロジェクタの台数を自由に設定することができる。
【００４７】
図４は、本形態の画像表示システム１のマスタ受信機能と、スレーブ受信機能とを実行
する方法を含むフローチャートである。このフローチャートは、パソコン３が画像信号と
画像制御信号を送信する操作（指示）したときに起動するプログラムである（ステップＳ
１）。
【００４８】
又、本形態では、このプログラムを起動する以前に、マスタプロジェクタ１０、スレー
ブプロジェクタ２０，３０，４０の設定が各プロジェクタの情報制御部４４の前記ＲＡＭ
に記憶されている。又、画像信号と画像制御信号の情報設定がパソコン３のＲＡＭに記憶
されている。
【００４９】
ちなみに、マスタプロジェクタ１０、スレーブプロジェクタ２０，３０，４０の設定は
、例えば、パソコン３のディスプレイ(図示せず)に４台のプロジェクタのリストを表示し
て、ユーザがそのリストの中から任意に選択する操作を行う。この選択操作により、選択
したプロジェクタがマスタプロジェクタ１０として設定される。又、選択されなかったプ
ロジェクタをスレーブプロジェクタ２０，３０，４０として設定、あるいは、選択されな
かったプロジェクタの中からスレーブプロジェクタを設定するようにしてもよい。この設
定情報は、パソコン３からの送信により、各プロジェクタのＲＡＭに書き込まれ、新たな
設定情報の送信がされるまでの間、マスタプロジェクタ１０とスレーブプロジェクタ２０
，３０，４０の設定として規定される。
【００５０】
画像の設定操作は、例えば、投射させる画像を選択することで行なわれ、この設定情報
は、パソコン３のＲＡＭ(記憶部)に画像設定情報として書き込まれ、新たな設定操作がさ
れるまでの間、画像表示に利用する画像の設定情報として規定される。
【００５１】
画像制御の設定操作は、例えば、選択されたマスタプロジェクタから画像制御信号に関
する設定項目データを読み出し、該設定項目データを設定する操作により行われる。この
設定情報は、パソコン３のＲＡＭに画像制御情報として書き込まれ、新たな設定操作がさ
れるまでの間、画像表示に利用する画像制御の設定情報として規定される。
【００５２】
以下、ステップＳ２からステップＳ８の手順が、前記マスタ受信機能とスレーブ受信機
能が行うプログラムである。
【００５３】
前記設定情報に基づく画像信号と画像制御信号が送信されると、画像信号をマスタプロ
ジェクタ１０とスレーブプロジェクタ２０，３０，４０が夫々受信し(ステップＳ２，Ｓ
３)、画像制御信号の送信元をマスタプロジェクタ１０、スレーブプロジェクタ２０，３
０，４０が夫々検出する（ステップＳ４）。送信元がパソコン３であると検出されると、
マスタプロジェクタ１０のみが画像制御信号を受信する(ステップＳ５)。このとき、受信
した画像制御信号の送信元がパソコン３として規定されているので、マスタプロジェクタ
１０を送信元とすることを、マスタプロジェクタ１０の情報制御部４４のプログラムによ
り上書きされる（ステップＳ６）。
【００５４】
次に、マスタプロジェクタ１０が、新たに送信元を上書きした画像制御信号を送信する
（ステップＳ７）。画像制御信号が送信されると、再び、その送信元をスレーブプロジェ
クタ２０，３０，４０が夫々検出する（ステップＳ４）。送信元がマスタプロジェクタ１
０であると検出されると、スレーブプロジェクタ２０，３０，４０が画像制御信号を受信
する(ステップＳ８)。
【００５５】
マスタプロジェクタ１０を送信元とする画像制御信号の内容は、送信元情報を除いてパ
ソコン３を送信元とする画像制御信号と同一であり、実質的な画像表示を行う制御に関し
ては同じ制御が行われる。すなわち、マスタプロジェクタ１０とスレーブプロジェクタ２
０，３０，４０は、同じ画像制御信号に基づいて画像表示を行う（ステップＳ９，ステッ
プＳ１０）。
【００５６】
本形態のプログラムによれば、制御部４が有するマスタ受信機能、及びスレーブ受信機
能を実行することができる。又、マスタプロジェクタ１０、及びスレーブプロジェクタ２
０，３０，４０自身が単独で行う画像表示に関する制御を実行することができる。
【００５７】
図５は、前記送信先探索機能を実行する方法を示すフローチャートである。このフロー
チャートは、マスタプロジェクタ１０が画像制御信号を送信するときに起動するプログラ
ムである（ステップＳ１）。本形態では、マスタプロジェクタ１０が、スレーブプロジェ
クタ２０及びスレーブプロジェクタ３０に対して画像制御信号を送信する例を示す。
【００５８】
このプログラムを起動する以前に、マスタプロジェクタ１０が送信する画像制御信号の
送信先を、スレーブプロジェクタ２０，３０とした設定がパソコン３のＲＡＭに記憶され
ている。
【００５９】
ちなみに、マスタプロジェクタ１０が送信する画像制御信号の送信先の設定は、例えば
、パソコン３のディスプレイ(図示せず)に表示されたマスタプロジェクタ１０の設定項目
の設定操作により行われる。この設定操作により、選択したスレーブプロジェクタが画像
制御信号の送信先として設定される。この設定情報は、パソコン３からの送信により、各
プロジェクタのＲＡＭに書き込まれ、新たな設定情報の送信がされるまでの間、スレーブ
プロジェクタ２０，３０が送信先であると規定される。又、送信先の設定情報は、スレー
ブプロジェクタ２０，３０，４０に、例えば、認識番号を付与しておき、この認識番号を
探し出して、探し出した認識番号のスレーブプロジェクタに送信する設定情報が挙げられ
る。
【００６０】
画像制御信号が送信されると、通信制御部４１に含まれる送信先探索機能により、送信
しようとするスレーブプロジェクタ２０，３０を探し出して(検出して)、該スレーブプロ
ジェクタ２０，３０にのみに送信する(ステップＳ２)。そして、送信された画像制御信号
をスレーブプロジェクタ２０，３０が受信する（ステップＳ３）。
【００６１】
本形態のプログラムによれば、制御部４が有する送信先探索機能を実行することができ
る。
又、複数のスレーブプロジェクタのうち、一部のスレーブプロジェクタを使用する場合、
一部のスレーブプロジェクタの画像制御信号を異なるものにする場合等に関して、マスタ
プロジェクタ１０が単独で行なう制御を実行することができる。
【００６２】
尚、本形態では、画像表示装置をプロジェクタとして例示したが、本発明はこれに限定
するものではなく、例えば、液晶ディスプレイや他の画像表示モジュール(例えば、ＤＭ
Ｄ(テキサス・インスツルメント社の商標))、更には、ＣＲＴディスプレイやＬＥＤ（発
光ダイオード）ディスプレイ等の各種画像表示装置を使用することができる。
又、本形態では、パソコンからの画像制御信号をマスタプロジェクタが受信すると共に
、該マスタプロジェクタからスレーブプロジェクタに画像制御信号を転送し、パソコンか
らの画像信号を各プロジェクタが受信する構成を例示しているが、本発明は、マスタプロ
ジェクタが画像信号と画像制御信号を受信し、該マスタプロジェクタからスレーブプロジ
ェクタに画像信号と画像制御信号を転送するようにしてもよい。
本発明は、例示した実施の形態に限定するものでは無く、特許請求の範囲の各項に記載
された技術的思想の範囲において、各種形態による実施が可能である。
【図面の簡単な説明】
【００６３】
【図１】本発明に係る画像表示システムの構成を示すブロック図。
【図２】本発明に係る画像表示装置の構成を示すブロック図。
【図３】制御部の構成を示すブロック図。
【図４】マスタ受信機能及びスレーブ受信機能を実行する方法を含むフローチャート。
【図５】送信先探索機能を実行する方法のフローチャート。
【符号の説明】
【００６４】
１：画像表示システム、２：ネットワーク、１０：マスタプロジェクタ（画像表示装置
）、２０，３０，４０：スレーブプロジェクタ（画像表示装置）、４：制御部、５：画像
投影部（画像表示部）、６：接続部、４１：通信制御部、４２：画像受信部、４３：記憶
部、４４：情報制御部
【図１】
2009169635.tif 000003
【図２】
2009169635.tif 000004
【図３】
2009169635.tif 000005
【図４】
2009169635.tif 000006
【図５】
2009169635.tif 000007